(57)【要約】【課題】感光ドラムに残留する転写残トナーの量が多くても、画像上にトナー汚れを生じさせることのない画像形成装置の提供。【解決手段】第一スクイシート１８Ｋは、感光ドラム１１Ｋに搬送されるトナーの一部を除去できる当接圧で感光ドラム１１Ｋに対し当接する。これにより、感光ドラムクリーニングブレード１７Ｋに所定量以上のトナーが供給されない。また、第二スクイシート１９は、感光ドラム１１Ｋに残留する転写残トナーを通過させ且つ少なくとも第一スクイシート１８Ｋにより除去されたトナーを掬うことのできる当接圧で感光ドラム１１Ｋに対し当接する。これにより、第一スクイシート１８Ｋにより感光ドラム１１Ｋから除去されたトナーは、第二スクイシート１９により掬い取られる。したがって、感光ドラム１１Ｋに残留する転写残トナーの量が多くても、画像上にトナー汚れは生じ難くなる。【選択図】図１
2015222397.tif 000002
【特許請求の範囲】
【請求項１】
表面にトナー像を担持して回転する像担持体と、
前記像担持体に当接し、前記像担持体に担持されたトナー像を別の像担持体に転写する転写手段と、
前記転写手段よりも前記像担持体の回転方向下流に設けられ、前記像担持体に当接して転写後の前記像担持体に残留する転写残トナーを除去するクリーニング部材と、
前記像担持体の回転方向に関し、前記転写手段よりも下流で且つ前記クリーニング部材よりも上流に設けられ、前記像担持体によって搬送されるトナーの一部を除去できる当接圧で、前記像担持体に当接する第一シート部材と、
前記像担持体の回転方向に関し、前記転写手段よりも下流で且つ前記第一シート部材よりも上流に、前記第一シート部材の重力方向下方に設けられ、前記転写残トナーを前記像担持体から除去しないように前記第一シート部材の当接圧よりも低い当接圧で、前記像担持体に当接する第二シート部材と、を備える画像形成装置。
【請求項２】
非画像形成時において、前記クリーニング部材にトナー帯を供給するモードを実行可能であって、前記第一シート部材は、前記トナー帯の一部を除去可能な当接圧に設定されている、ことを特徴とする請求項１に記載の画像形成装置。
【請求項３】
前記クリーニング部材は、クリーニングブレードであることを特徴とする請求項１又は２に記載の画像形成装置。
【請求項４】
表面にトナー像を担持して回転する像担持体と、
前記像担持体に当接し、前記像担持体に担持されたトナー像を別の像担持体に転写する転写手段と、
前記転写手段よりも前記像担持体の回転方向下流に設けられ、前記像担持体に当接して転写後の前記像担持体に残留する転写残トナーを除去するクリーニングブレードと、
前記像担持体の回転方向に関し、前記転写手段よりも下流で且つ前記クリーニングブレードよりも上流に設けられ、前記クリーニングブレードよりも低い当接圧で、前記像担持体に当接する第一シート部材と、
前記像担持体の回転方向に関し、前記転写手段よりも下流で且つ前記第一シート部材よりも上流に設けられ、前記第一シート部材よりも低い当接圧で、前記像担持体に当接する第二シート部材と、を備える画像形成装置。
【請求項５】
前記像担持体に担持させるトナー像を形成する画像形成手段と、
前記画像形成手段を制御する制御部と、を備え、
前記制御部は、前記クリーニングブレードに供給する供給用トナー像を前記画像形成手段に形成させるモードを実行し、該モードの実行の際に、前記転写手段に前記供給用トナー像のトナーの帯電極性と同極性の電圧を印加することを特徴とする請求項３又は４に記載の画像形成装置。
【請求項６】
前記第一シート部材は０．５〜１．０Ｎ／ｍの当接圧で、前記第二シート部材は０．１〜０．５Ｎ／ｍの当接圧で、前記像担持体にそれぞれ当接することを特徴とする請求項１乃至５のいずれか１項に記載の画像形成装置。
【請求項７】
前記像担持体の回転方向に関し、前記第一シート部材よりも下流で且つ前記クリーニングブレードよりも上流に設けられ、前記クリーニングブレードよりも低い当接圧で前記像担持体に当接して前記像担持体から転写残トナーを除去するブラシ部材を備え、
前記第一シート部材は０．１〜１．０Ｎ／ｍの当接圧で、前記第二シート部材は０．１〜０．５Ｎ／ｍの当接圧で、前記像担持体にそれぞれ当接することを特徴とする請求項３乃至５のいずれか１項に記載の画像形成装置。
【請求項８】
前記別の像担持体は、前記転写手段により転写されたトナー像を担持して搬送する中間転写体であり、
前記転写手段は、前記中間転写体から記録材にトナー像を転写する二次転写手段を有することを特徴とする請求項１乃至７のいずれか１項に記載の画像形成装置。
【請求項９】
前記像担持体は、前記中間転写体の回転方向に沿って複数配置され、
前記第二シート部材は、前記複数の像担持体のうち前記中間転写体の回転方向の最下流に配置された像担持体に設けられることを特徴とする請求項８に記載の画像形成装置。
【請求項１０】
前記別の像担持体は、前記転写手段によりトナー像の転写される記録材であり、
前記記録材を支持して搬送する搬送手段を備え、
前記像担持体は、前記搬送手段の記録材搬送方向に沿って複数配置され、
前記第二シート部材は、前記複数の像担持体のうち前記搬送手段の記録材搬送方向の最下流に配置された像担持体に設けられることを特徴とする請求項１乃至７のいずれか１項に記載の画像形成装置。
【請求項１１】
前記像担持体は円筒状の感光ドラムであり、
前記最下流に配置された感光ドラムは、他の感光ドラムに比べて直径が大きいことを特徴とする請求項９又は１０に記載の画像形成装置。
【発明の詳細な説明】
【技術分野】
【０００１】
本発明は、電子写真方式を採用したプリンタ、複写機、ファクシミリ、これらの複合機などの画像形成装置に関する。
【背景技術】
【０００２】
画像形成装置において、画像形成に使用されなかったが故に像担持体（感光ドラム）に残留する転写残トナーは、クリーニングブレードによって感光ドラムから機械的に掻き取られることで除去される。この感光ドラムから掻き取られたトナーが、記録材（直接転写方式の場合）や中間転写ベルト（中間転写方式の場合）に落下するのを防止するために、掻き取られたトナーを掬い取るシート部材が設けられる。
【０００３】
特許文献１には、転写残トナーを除去するためのクリーニングブレードよりも感光ドラムの回転方向上流に、紙粉を除去するためのフィルムを設けた画像形成装置が記載されている。
【先行技術文献】
【特許文献】
【０００４】
【特許文献１】特開２０００−２２１８５５号公報
【発明の概要】
【発明が解決しようとする課題】
【０００５】
ところで、クリーニングブレードで掻き取る転写残トナーの量が多いと、クリーニングブレードではすべての転写残トナーを掻き取り切れず、掻き取れなかった転写残トナーはクリーニングブレードをすり抜ける。この場合、感光ドラムに残った転写残トナーがそのまま搬送されて、画像上にトナー汚れを生じさせる。
【０００６】
また、クリーニングブレードによって掻き取られたトナーの量が多いと、シート部材では掻き取られたトナーを掬い取り切れず、掬い取れなかったトナーが記録材や中間転写ベルトに落下し、これが画像上にトナー汚れを生じさせていた。特に、クリーニングブレードにまで到達するトナーの量が多い場合に顕著であった。
【０００７】
本発明は上記問題に鑑みてなされたもので、感光ドラムに残留する転写残トナーの量が多くても、画像上にトナー汚れを生じさせることのない画像形成装置の提供を目的とする。
【課題を解決するための手段】
【０００８】
本発明に係る画像形成装置は、表面にトナー像を担持して回転する像担持体と、前記像担持体に当接し、前記像担持体に担持されたトナー像を別の像担持体に転写する転写手段と、前記転写手段よりも前記像担持体の回転方向下流に設けられ、前記像担持体に当接して転写後の前記像担持体に残留する転写残トナーを除去するクリーニング部材と、前記像担持体の回転方向に関し、前記転写手段よりも下流で且つ前記クリーニング部材よりも上流に設けられ、前記像担持体によって搬送されるトナーの一部を除去できる当接圧で、前記像担持体に当接する第一シート部材と、前記像担持体の回転方向に関し、前記転写手段よりも下流で且つ前記第一シート部材よりも上流に、前記第一シート部材の重力方向下方に設けられ、前記転写残トナーを前記像担持体から除去しないように前記第一シート部材の当接圧よりも低い当接圧で、前記像担持体に当接する第二シート部材と、を備える。
【０００９】
また、別の発明の画像形成装置は、表面にトナー像を担持して回転する像担持体と、前記像担持体に当接し、前記像担持体に担持されたトナー像を別の像担持体に転写する転写手段と、前記転写手段よりも前記像担持体の回転方向下流に設けられ、前記像担持体に当接して転写後の前記像担持体に残留する転写残トナーを除去するクリーニングブレードと、前記像担持体の回転方向に関し、前記転写手段よりも下流で且つ前記クリーニングブレードよりも上流に設けられ、前記クリーニングブレードよりも低い当接圧で、前記像担持体に当接する第一シート部材と、前記像担持体の回転方向に関し、前記転写手段よりも下流で且つ前記第一シート部材よりも上流に設けられ、前記第一シート部材よりも低い当接圧で、前記像担持体に当接する第二シート部材と、を備える。
【発明の効果】
【００１０】
本発明によれば、第一シート部材は像担持体によって搬送されるトナーの一部を除去できる当接圧で像担持体に当接し、第二シート部材は像担持体から転写残トナーを除去しないように第一シート部材の当接圧よりも低い当接圧で像担持体に当接する。これにより、感光ドラムに残留する転写残トナーの量が多くても、画像上にトナー汚れが生じ難くなる。
【００１１】
また、別の発明によれば、第一シート部材は転写残トナーを除去するクリーニングブレードよりも低い当接圧で像担持体に当接し、第二シート部材は第一シート部材よりも低い当接圧で像担持体に当接する。これにより、感光ドラムに残留する転写残トナーの量が多くても、画像上にトナー汚れが生じ難くなる。
【図面の簡単な説明】
【００１２】
【図１】本発明の実施形態に係る画像形成装置の構成を示す概略構成図である。
【図２】第一及び第二の各スクイシートを示す一部拡大図である。
【図３】本発明の第二実施形態に係る画像形成装置の構成を示す概略構成図である。
【発明を実施するための形態】
【００１３】
以下、図面を参照して本発明の実施形態を詳細に説明する。本発明の実施形態に係る現像装置は以下に述べる画像形成装置に適用されるが、これに限られるものではなく、他の画像形成装置にも適用できる。すなわち、画像形成装置であれば、タンデム型／１ドラム型、中間転写型／直接転写型の区別無く実施できる。また、二成分現像剤／一成分現像剤の区別無く実施できる。なお、本実施形態ではトナー像の形成／転写に係る主要部のみを説明するが、本発明は、必要な機器、装備、筐体構造を加えて、プリンタ、各種印刷機、複写機、ＦＡＸ、複合機等、種々の用途で実施できる。
【００１４】
＜画像形成装置＞
まず、本発明の実施形態に係る画像形成装置の概略構成について、図１を用いて説明する。図１は、本発明の実施形態に係る画像形成装置の構成を示す概略構成図である。図１に示す画像形成装置１は、別の像担持体あるいは中間転写体としての中間転写ベルト１６に沿って画像形成部（ＵＹ、ＵＭ、ＵＣ、ＵＫ）を複数配置したタンデム型中間転写方式のフルカラープリンタである。
【００１５】
画像形成部ＵＹでは、感光ドラム１１Ｙにイエロートナー像が形成されて中間転写ベルト１６に転写される。画像形成部ＵＭでは、感光ドラム１１Ｍにマゼンタトナー像が形成されて中間転写ベルト１６に転写される。画像形成部ＵＣ、ＵＫでは、それぞれ感光ドラム１１Ｃ、１１Ｋにシアントナー像、ブラックトナー像が形成されて中間転写ベルト１６に転写される。中間転写ベルト１６に転写された四色のトナー像は、二次転写部Ｎ２へ搬送されて記録材Ｐ（用紙、ＯＨＰシートなどのシート材など）へ一括二次転写される。
【００１６】
画像形成手段としての画像形成部ＵＹ、ＵＭ、ＵＣ、ＵＫは、現像装置１４Ｙ、１４Ｍ、１４Ｃ、１４Ｋで用いるトナーの色がイエロー、マゼンタ、シアン、ブラックと異なる。また、イエロー、マゼンタ、シアンの各画像形成部ＵＹ、ＵＭ、ＵＣとブラックの画像形成部ＵＫとは、感光ドラム１１の外径や一次帯電器１２の構成が異なっている。さらに、後述するように、画像形成部ＵＫは第二スクイシート１９を有する点が異なっている。それら以外は、ほぼ同一に構成される。そこで、以下では、画像形成部ＵＹ、ＵＭ、ＵＣ、ＵＫの区別を表す符号末尾のＹ、Ｍ、Ｃ、Ｋを省略した符号を構成部材に付して、画像形成部Ｕの同一構成及び同一動作について総括的に説明する。また、画像形成部Ｕと異なる画像形成部ＵＫの構成及び動作については、別途説明する。これら画像形成部ＵＹ、ＵＭ、ＵＣ、ＵＫは、制御部５０によって制御される。
【００１７】
画像形成部Ｕは、像担持体としての感光ドラム１１を囲んで、一次帯電器１２、露光装置１３、現像装置１４、一次転写ローラ１５、感光ドラムクリーニングブレード１７、第一スクイシート１８が設けられている。感光ドラム１１は外径３０ｍｍの、感光ドラム１１Ｋは他よりも直径の大きな外径８４ｍｍのアルミニウム製シリンダの外周面に、感光層としてＯＰＣ（有機光半導体）を塗布した円筒状の感光体である。例えば、硬化性の樹脂が電荷輸送層用の樹脂として用いられている。感光ドラム１１は、所定のプロセススピードで図中矢印Ｒ１方向に回転する。
【００１８】
画像形成部Ｕは、一次帯電器１２として外径１４ｍｍの帯電ローラが感光ドラム１１に接触するように設けられる。感光ドラム１１は、帯電ローラにより不図示の一次帯電バイアス電源から交流電圧に直流電圧を重畳した帯電バイアス電圧が印加されることで一様に帯電される。帯電ローラは導電性の支持部材に弾性層を設けたものであり、弾性層にカーボンブラック等の導電剤を添加することで、電気抵抗を１０１０Ω未満に調整して導電性を持たせている。
【００１９】
画像形成部ＵＫは、一次帯電器１２としてスコロトロン方式のコロナ帯電器１２Ｋが設けられる。コロナ帯電器１２Ｋは、アルミニウム等の金属でシールドされた直径５０〜１００μｍ程のタングステン製あるいはステンレス製の放電線に、不図示の高圧電源から高電圧が印加されることによって放電する。感光ドラム１１Ｋは、コロナ帯電器１２Ｋが放電することで一様に帯電される。なお、感光ドラム１１Ｋを一様に帯電させるために、コロナ帯電器１２Ｋのシールド開口部には電極と絶縁された数本のグリッド線が設けられる。このグリッド線に印加される電圧の値によって、感光ドラム１１Ｋの帯電量は制御される。
【００２０】
露光装置１３は、各色の分解色画像を展開した走査線画像データをＯＮ−ＯＦＦ変調した例えば波長７８０ｎｍのレーザービームを回転ミラーで走査して、帯電した感光ドラム１１に画像の静電像を書き込む。現像装置１４は、トナーを感光ドラム１１に供給して、静電像をトナー像に現像する。現像装置１４では、負帯電特性のトナー（非磁性）と正帯電特性のキャリアを含む二成分現像剤が用いられる。トナーは、スチレン系樹脂やポリエステル樹脂等の結着樹脂、カーボンブラックや染料、顔料等の着色剤、さらには必要に応じてその他の添加剤を含む着色樹脂粒子と、コロイダルシリカ微粉末のような外添剤が外添されている着色粒子とを有している。一方、キャリアは、例えば表面酸化あるいは未酸化の鉄、ニッケル、コバルト、マンガン、クロム、希土類などの金属、及びそれらの合金、或は酸化物フェライトなどが好適に使用可能である。ここでは、平均帯電量（単位重量当たりの電荷量）が−１．０×１０−２Ｃ／ｋｇ〜−６．０×１０−２Ｃ／ｋｇの現像剤を用いた。現像装置１４には補給部としての現像剤補給装置２０が接続され、現像剤補給装置２０からトナーとキャリアの両方を含む補給用現像剤が補給される。補給用現像剤は、トナーとキャリアを重量比で例えば９：１に混合したものが用いられる。
【００２１】
一次転写ローラ１５は、中間転写ベルト１６を押圧し、各感光ドラム１１と中間転写ベルト１６との間にトナー像の一次転写部Ｎ１を形成する。一次転写ローラ１５にトナーの帯電極性と逆極性であるポジ（正）極性の直流電圧（一次転写バイアス電圧）が印加されて、中間転写ベルト１６の回転方向に沿って配置された各感光ドラム１１に担持されたトナー像が中間転写ベルト１６へ一次転写される。一次転写ローラ１５は、図中矢印Ｒ２方向に回転する。
【００２２】
＜中間転写ベルト＞
中間転写ベルト１６は、内周側から順に、例えばポリイミド樹脂からなる厚さ１００μｍの基体と、ウレタンゴムからなる厚さ３００μｍの弾性層と、フッ素樹脂からなる厚さ５μｍの表層とを有する、無端状に形成されたベルト部材である。基体はポリイミド樹脂に限らず、ポリスチレン等を用いてもよい。基体の厚さは、５０〜５００μｍの範囲であればよい。これは、基体の厚さが５０μｍ未満であると耐久性が得られず、反対に厚さが５００μｍを超えると振動が生じやすくなるからである。
【００２３】
基体の上に積層される弾性層はウレタンゴムに限らず、天然ゴムやイソプレンゴム等の弾性材料を用いてもよい。弾性層の厚さは、２０〜１０００μｍの範囲であればよい。これは、弾性層の厚さが２０μｍ未満であると、回転に伴う感光ドラム１１の振れを十分に吸収できないからである。反対に、弾性層の厚さが１０００μｍを超えると、振動が生じやすくなるからである。
【００２４】
弾性層の上に積層される表層に関しては特に制限ないが、トナー付着力を小さくして二次転写性を高める必要があることから、表層は例えばフッ素樹脂やポリウレタン等が用いられる。
【００２５】
なお、基体や弾性層には、カーボン、ＺｎＯ、ＳｎＯ２及びＴｉＯ２等の導電性の充填材（以下、導電剤と記す）が必要に応じて添加されてよい。導電剤が添加されることで、中間転写ベルト１６の体積抵抗率や表面抵抗率が調整される。中間転写ベルト１６は、例えば体積抵抗率が１．０×１０１０［Ω・ｃｍ］、表面抵抗率が６．０×１０１１［Ω・ｃｍ］に調整される。なお、中間転写ベルト１６は弾性層を有する複層構造に限らず、例えばポリエチレン−四フッ化エチレン共重合体等のフッ素含有樹脂からなる単層構造であってもよい。
【００２６】
＜感光ドラムクリーニングブレード＞
クリーニング部材としての感光ドラムクリーニングブレード１７は、感光ドラム１１に摺擦し、一次転写後に感光ドラム１１に残留する一次転写残トナーを機械的に掻き取って感光ドラム１１から除去する。感光ドラムクリーニングブレード１７は例えばポリウレタンゴムからなり、不図示の板金を介して装置本体に支持されている。感光ドラムクリーニングブレード１７は、感光ドラム１１に対し１０〜５０Ｎ／ｍの当接圧で当接する。感光ドラムクリーニングブレード１７の当接圧は、後述する第一スクイシート１８や第二スクイシート１９の当接圧に比べて高い。
【００２７】
感光ドラムクリーニングブレード１７により感光ドラム１１から掻き取られた一次転写残トナーは、転写残トナー搬送スクリュー（不図示）によって転写残トナー回収容器（不図示）へと送られる。しかし、その際に、掻き取られたトナーの一部が転写残トナー搬送スクリューによって転写残トナー回収容器へと送られることなく、下方（感光ドラム１１の回転方向上流側）に自重落下することがある。特に、感光ドラムクリーニングブレード１７まで所定量以上の一次転写残トナーが到達したような場合には、掻き取られるトナー量が増え、より多くの量のトナーが自重落下する。
【００２８】
そこで、画像形成部ＵＫには、感光ドラムクリーニングブレード１７よりも感光ドラム１１の回転方向上流側に、第一スクイシート１８が設けられる。第一スクイシート１８は、感光ドラムクリーニングブレード１７により感光ドラム１１から掻き取られたトナーが中間転写ベルト１６に落ちないようにトナーを掬い取る。なお、詳しくは後述するが、画像形成部ＵＫの第一スクイシート１８Ｋに関しては、感光ドラム１１に摺擦して一次転写後に感光ドラム１１に残留した一次転写残トナーを機械的に掻き取ることができるようにしている。これは、感光ドラムクリーニングブレード１７Ｋまで到達させる一次転写残トナーの量を、所定量以下に調整するためである。
【００２９】
画像形成部ＵＫは、他の画像形成部Ｕ（ＵＹ、ＵＭ、ＵＣ）よりも中間転写ベルト１６の回転方向下流側に配置される。そのため、画像形成部Ｕで中間転写ベルト１６に一次転写された各色のトナー像が、最下流に配置された画像形成部ＵＫの感光ドラム１１Ｋに再転写されやすく、それ故に感光ドラム１１Ｋでは一次転写残トナーの量が多くなり得る。そこで、画像形成部ＵＫには、第一スクイシート１８Ｋよりも感光ドラム１１Ｋの回転方向上流側に第二スクイシート１９が設けられる。この第二スクイシート１９は、第一スクイシート１８Ｋの重力方向下方に設けられる。すなわち、第二スクイシート１９は、感光ドラムクリーニングブレード１７により掻き取られて第一スクイシート１８Ｋで掬い取れなかったトナーを掬い取ることができるようにしている。それに加え、第二スクイシート１９は、第一スクイシート１８Ｋにより感光ドラム１１Ｋから掻き取られたトナーが中間転写ベルト１６に落ちないように、第一スクイシート１８により掻き取られたトナーを掬い取ることができるようにしている。
【００３０】
＜トナー濃度検知センサ＞
また、画像形成部ＵＫには、第一トナー濃度検知センサ２１、第二トナー濃度検知センサ２２が設けられる。第一トナー濃度検知センサ２１は、感光ドラム１１Ｙ、１１Ｍ、１１Ｃにより中間転写ベルト１６に一次転写されたトナー像の濃度を検知する。第二トナー濃度検知センサ２２は、感光ドラム１１Ｋに形成されたトナー像の濃度を検知する。例えば、中間転写ベルト１６に一次転写されたイエロー、マゼンタ、シアンの各トナー像の濃度は散乱光成分の光量によって、感光ドラム１１Ｋに形成されたブラックのトナー像の濃度は正反射光成分の光量によって検知される。上述した露光装置１３は感光ドラム１１に画像の静電像を書き込む際に、この検知結果に基づき画像濃度調整を行う。この画像濃度調整時には、中間転写ベルト１６に形成されたテストパッチを用いる。
【００３１】
中間転写ベルト１６は、駆動ローラ２３、張架ローラ２４及び二次転写対向ローラ２５に掛け渡して支持され、駆動ローラ２３に駆動されて図中矢印Ｒ３方向に回転する。駆動ローラ２３は、感光ドラム１１との速度差が１〜５％の範囲内となるように、中間転写ベルト１６を回転させる。二次転写部Ｎ２は、中間転写ベルト１６を内周側から支持する二次転写対向ローラ２５に、中間転写ベルト１６を挟んで二次転写ローラ２６を当接して形成される、記録材Ｐへのトナー像転写ニップ部である。二次転写ローラ２６に所定の加圧力とポジ（正）極性の直流電圧（二次転写バイアス電圧）が印加されることで、中間転写ベルト１６に一次転写されたトナー像は、二次転写部Ｎ２を搬送される記録材Ｐへ二次転写される。二次転写ローラ２６は、例えば外径２４ｍｍに形成されている。
【００３２】
二次転写部Ｎ２によって四色のトナー像を二次転写された記録材Ｐは、不図示の定着装置へ搬送される。定着装置では、記録材Ｐを加熱／加圧してトナー像を記録材Ｐに定着する。定着装置によりトナー像の定着された記録材Ｐは、装置本体の外へ排出される。
【００３３】
なお、二次転写ローラ２６は、中間転写ベルト１６から離間可能に構成するとよい。そうすると、画像濃度調整時に二次転写ローラ２６を中間転写ベルト１６から離間させることができ、中間転写ベルト１６に一次転写されたテストパッチのトナーが二次転写ローラ２６に転写されない。勿論、二次転写ローラ２６は中間転写ベルト１６から離間できる構成でなくてもよい。ただし、その場合には、テストパッチが二次転写部Ｎ２を通過する際に、画像形成時とは逆極性のネガ（負）極性の二次転写バイアス電圧を二次転写ローラ２６に印加し、二次転写ローラ２６にテストパッチのトナーが転写されないようにする必要がある。
【００３４】
＜中間転写ベルトクリーニング装置＞
二次転写後に中間転写ベルト１６に付着したまま残る二次転写残トナーは、中間転写ベルトクリーニング装置１０により回収される。中間転写ベルトクリーニング装置１０は、第一クリーニングブラシ２７、第一バイアスローラ２８、第一バイアスローラクリーニングブレード２９を含んでなる第一クリーニング部を有する。また、中間転写ベルトクリーニング装置１０は、第二クリーニングブラシ３０、第二バイアスローラ３１、第二バイアスローラクリーニングブレード３２を含んでなる第二クリーニング部を有する。これら第一クリーニング部と第二クリーニング部は、別々のハウジング（不図示）内に配置されている。
【００３５】
第一クリーニングブラシ２７と第二クリーニングブラシ３０は、それぞれが中間転写ベルト１６を摺擦して、中間転写ベルト１６から二次転写残トナーを除去する。中間転写ベルト１６から除去された二次転写残トナーは、それぞれ第一バイアスローラ２８と第二バイアスローラ３１へと静電気によって転移する。第一バイアスローラ２８へ転移した二次転写残トナーは、第一バイアスローラクリーニングブレード２９によってクリーニングされて二次転写残トナー収容器（不図示）に回収される。第二バイアスローラ３１へ転移した二次転写残トナーは、第二バイアスローラクリーニングブレード３２によってクリーニングされて二次転写残トナー収容器（不図示）に回収される。
【００３６】
第一クリーニングブラシ２７及び第二クリーニングブラシ３０は、中間転写ベルト１６に当接し、中間転写ベルト１６の回転方向（図中矢印Ｒ３方向）に対し逆方向に回転する。具体的には、第一クリーニングブラシ２７及び第二クリーニングブラシ３０は、中間転写ベルト１６に対しそれぞれ約１．０ｍｍの侵入量を保って当接している。そして、中間転写ベルト１６とは逆方向に、また中間転写ベルト１６との周速比が例えば３０％となるように、駆動ローラ２３に連結されたギア等を介して駆動ローラ２３の回転に伴い回転する。
【００３７】
これら第一クリーニングブラシ２７及び第二クリーニングブラシ３０には、例えば織物型のロールブラシが用いられる。ロールブラシとしては、例えば外径１８ｍｍの導電性の支持部材に、ブラシ密度が１平方インチ当たりおよそ５．０×１０４本となるように、太さ２０μｍ、パイル長５ｍｍのナイロン繊維（ただし、カーボンが分散されたもの）を施したものが用いられる。なお、第一クリーニングブラシ２７及び第二クリーニングブラシ３０はロールブラシに限られず、例えばクリーニングローラやクリーニングウェブあるいはクリーニングブレード等であってよい。
【００３８】
第一クリーニングブラシ２７には第一バイアスローラ２８が当接し、第二クリーニングブラシ３０には第二バイアスローラ３１が当接している。具体的には、第一バイアスローラ２８、第二バイアスローラ３１は、第一クリーニングブラシ２７、第二クリーニングブラシ３０に対しそれぞれ約１．０ｍｍの侵入量を保って当接している。そして、第一クリーニングブラシ２７や第二クリーニングブラシ３０とは逆方向に等速度で、つまり第一クリーニングブラシ２７や第二クリーニングブラシ３０の回転に追従して回転する。これら第一バイアスローラ２８及び第二バイアスローラ３１は、例えばアルミニウム製の金属ローラである。
【００３９】
第一バイアスローラ２８及び第二バイアスローラ３１には、不図示のバイアス電源が接続されている。第一バイアスローラ２８にネガ（負）極性のバイアス電圧が印加されると、第一クリーニングブラシ２７に負電流が流れる。他方、第二バイアスローラ３１にポジ（正）極性のバイアス電圧が印加されると、第二クリーニングブラシ３０に正電流が流れる。これにより、第一バイアスローラ２８、第二バイアスローラ３１はそれぞれ、第一クリーニングブラシ２７、第二クリーニングブラシ３０が中間転写ベルト１６から除去した二次転写残トナーを受け取って保持する。
【００４０】
第一バイアスローラクリーニングブレード２９、第二バイアスローラクリーニングブレード３２は、第一バイアスローラ２８、第二バイアスローラ３１に対する侵入量がそれぞれ例えば１．０ｍｍとなるように設けられている。第一バイアスローラクリーニングブレード２９、第二バイアスローラクリーニングブレード３２は、それぞれ第一バイアスローラ２８、第二バイアスローラ３１が保持する二次転写残トナーを除去する。なお、これら第一バイアスローラクリーニングブレード２９及び第二バイアスローラクリーニングブレード３２は、上述した感光ドラムクリーニングブレード１７と同様のものを用いればよい。
【００４１】
＜スクイシート＞
上述したように、画像形成部ＵＫには他の画像形成部ＵＹ、ＵＭ、ＵＣと異なり、第一スクイシート１８Ｋだけでなく第二スクイシート１９が設けられる。また、第一スクイシート１８Ｋは、他の第一スクイシート（１８Ｙ、１８Ｍ、１８Ｃ）と異なる。すなわち、第一スクイシート１８Ｋは、感光ドラムクリーニングブレード１７により感光ドラム１１から掻き取られた一次転写残トナーを掬い取る機能だけでなく、感光ドラムから一次転写残トナーを機械的に掻き取る機能を有する。そこで、これら第一スクイシート１８Ｋ及び第二スクイシート１９について説明する。図２は、第一及び第二の各スクイシートを示す一部拡大図である。
【００４２】
第一シート部材としての第一スクイシート１８Ｋは、例えばポリエチレンテレフタレート（ＰＥＴ）やポリウレタン（ＰＵ）からなるシート部材で構成されている。第一スクイシート１８Ｋは、感光ドラム１１Ｋの接線と第一スクイシート１８Ｋを湾曲しない状態（点線で示す）とした場合とのなす設定角が図中「α」で示す角度となるよう、その先端が感光ドラム１１の回転方向に向くように装置本体に取り付けられている。なお、図２では、第一スクイシート１８Ｋの湾曲しない状態を仮想した場合の第一スクイシート１８Ｋの感光ドラム１１Ｋへの侵入量を、記号「ｘ」で記した。
【００４３】
第二シート部材としての第二スクイシート１９は、例えばポリウレタン（ＰＵ）からなるシート部材で構成されている。第二スクイシート１９は、感光ドラム１１Ｋの接線と第二スクイシート１９を湾曲しない状態（点線で示す）とした場合とのなす設定角が図中「β」で示す角度となるよう、その先端が感光ドラム１１の回転方向に向くように装置本体に取り付けられている。なお、図２では、第二スクイシート１９の湾曲しない状態を仮想した場合の第二スクイシート１９の感光ドラム１１Ｋへの侵入量を、記号「ｙ」で記した。
【００４４】
これら第一スクイシート１８Ｋと第二スクイシート１９は、感光ドラム１１Ｋに対し異なる当接圧で当接している。この当接圧は、第一スクイシート１８Ｋ及び第二スクイシート１９を設ける際に、シート部材の厚み、自由長、設定角、侵入量を変更することにより予め調整される。具体的な当接圧については後述する。なお、感光ドラム１１Ｋに回転方向に沿って当接している第一スクイシート１８Ｋ、第二スクイシート１９の各当接部の長さを、ここでは自由長と呼ぶ。
【００４５】
［比較例１］
ここで、第一及び第二の各スクイシートの当接圧を変えた場合における、各スクイシートの汚れと画像上のトナー汚れとの関係を調べた実験結果を表１に示す。シート部材には、曲がり弾性率が２．７５×１０９Ｎ／ｍ２のポリエチレンテレフタレート（ＰＥＴ）、曲がり弾性率が３．９２×１０８Ｎ／ｍ２のポリウレタン（ＰＵ）を用いた。ここでは、感光ドラム１１Ｋから各スクイシートが掻き取った一次転写残トナーにより発生する汚れのことをスクイシート汚れと呼ぶ。スクイシートが感光ドラム１１Ｋから一次転写残トナーをより多く掻き取っている場合、言い換えれば当接圧が高いほど、スクイシートは汚れやすい。スクイシート汚れと画像上のトナー汚れ（以下、画像汚れと記す）に関し、表１では「○」、「△」、「×」の順で汚れが顕著であることを示す。
【００４６】
【表１】
2015222397.tif 000003
【００４７】
まず、第一スクイシート１８Ｋの当接圧が１．０〜２．０Ｎ／ｍの場合に関し（表１の１〜３）、第二スクイシート１９のスクイシート汚れ及び画像汚れについて場合を分けて説明する。第二スクイシート１９の当接圧が０．５〜１．０Ｎ／ｍである場合（表１の１）、第二スクイシート１９のスクイシート汚れ及び画像汚れは共に「×」である。この場合、第二スクイシート１９は感光ドラム１１Ｋから一次転写残トナーを掻き取っている一方で、第一スクイシート１８Ｋにより掻き取られたトナーを掬い取り切れていない。
【００４８】
第二スクイシート１９の当接圧が０．１〜０．５Ｎ／ｍである場合（表１の２）、また第二スクイシート１９の当接圧が０．１Ｎ／ｍ以下である場合（表１の３）、第二スクイシート１９のスクイシート汚れ及び画像汚れは共に「×」である。この場合、第一スクイシート１８Ｋにより掻き取られたトナーの量が多すぎ、第二スクイシート１９は第一スクイシート１８Ｋにより掻き取られたトナーを掬い取り切れていない。
【００４９】
次に、第一スクイシート１８Ｋの当接圧が０．５〜１．０Ｎ／ｍの場合に関し（表１の４〜６）、第二スクイシート１９のスクイシート汚れ及び画像汚れについて場合を分けて説明する。第二スクイシート１９の当接圧が０．５〜１．０Ｎ／ｍである場合（表１の４）、第二スクイシート１９のスクイシート汚れ及び画像汚れは共に「△」である。この場合、第二スクイシート１９は感光ドラム１１Ｋから一次転写残トナーを掻き取っており、また第一スクイシート１８Ｋにより掻き取られたトナーも掬い取り切れている。
【００５０】
第二スクイシート１９の当接圧が０．１〜０．５Ｎ／ｍである場合（表１の５）、第二スクイシート１９のスクイシート汚れ及び画像汚れは共に「○」である。この場合、第二スクイシート１９は感光ドラム１１Ｋから一次転写残トナーを掻き取っていないが、第一スクイシート１８Ｋにより掻き取られたトナーは掬い取り切れている。
【００５１】
第二スクイシート１９の当接圧が０．１Ｎ／ｍ以下である場合（表１の６）、第二スクイシート１９のスクイシート汚れ及び画像汚れは共に「×」である。この場合、第二スクイシート１９は第一スクイシート１８Ｋにより掻き取られたトナーを掬い取り切れていない。
【００５２】
さらに、第一スクイシート１８Ｋの当接圧が０．１〜０．５Ｎ／ｍの場合に関し（表１の７〜９）、第二スクイシート１９のスクイシート汚れ及び画像汚れについて場合を分けて説明する。第二スクイシート１９の当接圧が０．５〜１．０Ｎ／ｍである場合（表１の７）、第二スクイシート１９のスクイシート汚れ及び画像汚れは共に「△」である。この場合、第二スクイシート１９は感光ドラム１１Ｋから一次転写残トナーを掻き取っている。
【００５３】
第二スクイシート１９の当接圧が０．１〜０．５Ｎ／ｍである場合（表１の８）、また第二スクイシート１９の当接圧が０．１Ｎ／ｍ以下である場合（表１の９）、第二スクイシート１９のスクイシート汚れは「○」であるが、画像汚れは「×」である。この場合、第二スクイシート１９は感光ドラム１１Ｋから一次転写残トナーを掻き取らない。また、第一スクイシート１８Ｋが感光ドラム１１Ｋから掻き取る一次転写残トナーがほとんどない状態であるが、感光ドラムクリーニングブレード１７から一次転写残トナーがすり抜けている。
【００５４】
第一スクイシート１８Ｋに関しては、表１に示した結果からすると、当接圧が０．５〜１．０Ｎ／ｍよりも高いと、第二スクイシート１９の当接圧に関わらず、第二スクイシート１９のスクイシート汚れ及び画像汚れが顕著となる。これは、第一スクイシート１８Ｋが感光ドラム１１Ｋに強く当接している場合には、第一スクイシート１８Ｋ自体が感光ドラム１１Ｋから一次転写残トナーを掻き取り、このトナーが第二のスクイシート１９へと落下するためである。このとき、第二スクイシート１９の当接圧が適切でなければ、第一スクイシート１８Ｋによって掻き取られたトナーを掬うことができない。そうなると、第一スクイシート１８Ｋによって掻き取られたトナーは中間転写ベルト１６に落下するので、画像汚れが発生しやすくなる。
【００５５】
その一方で、第一スクイシート１８Ｋは、感光ドラムクリーニングブレード１７Ｋからのトナーのすり抜けを抑制するために、トナーを掻き取るべく、高い当接圧に設定するのが望ましい。特に、感光ドラム１１Ｋの駆動トルクを低下させるため、感光ドラムクリーニングブレード１７Ｋに多量のトナーが供給されるような場合などには、トナーのすり抜けが生じやすい。それ故、トナーのすり抜けを抑制する必要性が高い。すなわち、感光ドラム１１Ｋの駆動トルクが上昇すると、感光ドラムクリーニングブレード１７Ｋの捲れやビビリによるトナーすり抜けや異音などの発生リスクが高まることから、感光ドラム１１Ｋの駆動トルクは低めに推移させるのがよい。しかし、画像形成が繰り返し行われたような場合には、感光ドラム１１Ｋの駆動トルクは上昇する。そこで、感光ドラムクリーニングブレード１７Ｋに潤滑剤を供給して、感光ドラム１１Ｋの表面の摩擦係数を低下させるが、潤滑剤として強制的にトナーを供給する方法がある。供給されるトナーの量が多いほど、より感光ドラム１１Ｋの駆動トルクを低下させる効果が得られる。
【００５６】
本画像形成装置１では、感光ドラム１１Ｋの駆動トルクが上昇した場合により大きな潤滑効果を得るために、非画像形成時に画像形成部Ｕに供給用トナー像（トナー帯）を形成させて多量のトナーを現像させる制御を行うモードを実行できるようになっている。その際には、一次転写ローラ１５Ｋに供給用トナー像のトナーの帯電極性と同極性のバイアス電圧を印加し、意図的に感光ドラムクリーニングブレード１７Ｋに多量のトナーを供給するようにしている。このような感光ドラムクリーニングブレード１７Ｋにトナー帯を供給するモードは、各画像形成部Ｕに接続されたコンピュータ等の制御部５０により実行可能である。
【００５７】
制御部５０による上記モードの実行に伴い、感光ドラム１１Ｋと感光ドラムクリーニングブレード１７Ｋとの間に発生する摩擦力が小さくなるので、感光ドラム１１Ｋの駆動トルクは低下する。しかし、上記の摩擦力が小さくなれば、感光ドラムクリーニングブレード１７Ｋのクリーニング性が低下し、感光ドラムクリーニングブレード１７Ｋに供給されたトナーの一部がすり抜けやすくなる。そこで、ある程度の量のトナーを第一スクイシート１８Ｋによって掻き取ることで、必要量以上のトナーを感光ドラムクリーニングブレード１７Ｋに供給しないように制御することが必要である。すなわち、第一スクイシート１８Ｋの当接圧はトナーを掻き取れる水準に設定される必要があり、その当接圧は後述する第二スクイシート１９の当接圧よりも高くする。表１からすると、トナーを掻き取れる第一スクイシート１８Ｋの当接圧は、０．５Ｎ／ｍ以上である。
【００５８】
勿論、感光ドラムクリーニングブレード１７Ｋに供給するトナー量の制御は、上述した方法に限らず、感光ドラム１１Ｋに現像する供給用トナー像のトナー量や、一次転写ローラ１５Ｋに印加する電圧値などを変えることによって制御する方法もある。しかし、この方法は、感光ドラム１１Ｋや一次転写ローラ１５Ｋ、中間転写ベルト１６の状態やトナーの状態などによって供給されるトナー量が変わるので適していない。他方、上述した第一スクイシート１８Ｋの当接圧を変えることによる制御方法では、感光ドラムクリーニングブレード１７Ｋにトナーを安定的に供給できる。
【００５９】
以上のことから、第一スクイシート１８Ｋの当接圧は０．５〜１．０Ｎ／ｍの範囲に設定する。これは、トナー帯の一部を除去可能な当接圧である。ここで、第一スクイシート１８Ｋの当接圧を高くするには、厚みは厚く、自由長は短く、設定角は大きく、侵入量は小さくするように適宜に組み合わせて設定すればよい。勿論、第一スクイシート１８Ｋの当接圧は上記範囲に限られず、画像汚れが発生しないように、感光ドラムクリーニングブレード１７Ｋに供給するトナー量を制限できる範囲であればよい。
【００６０】
他方、第二スクイシート１９に関しては、表１に示した結果からすると、当接圧が低いと画像汚れが良好になる傾向がある。すなわち、第二スクイシート１９が感光ドラム１１Ｋに高い当接圧で当接している場合、第二スクイシート１９は感光ドラム１１Ｋの一次転写残トナーを掻き取る。そうすると、掻き取られたトナーが中間転写ベルト１６に落下するので画像汚れが発生する。反対に、第二スクイシート１９が感光ドラム１１Ｋに極端に低い当接圧で当接している場合、第二スクイシート１９は感光ドラム１１Ｋの一次転写残トナーを掻き取らない。しかし、第一スクイシート１８Ｋにより掻き取られたトナーや、第一スクイシート１８Ｋで掬い取り切れなかったトナーを有効に掬い取ることができないので、やはり画像汚れが生じ得る。
【００６１】
以上のことから、第二スクイシート１９の当接圧は、第一スクイシート１８Ｋの当接圧よりも低い当接圧に設定する。具体的には、第二スクイシート１９の当接圧は０．１〜０．５Ｎ／ｍの範囲に設定する。ここで、第二スクイシート１９の当接圧を低くするには、厚みは薄く、自由長は長く、設定角は小さく、侵入量は大きくするように適宜に組み合わせて設定すればよい。勿論、第二スクイシート１９の当接圧は上記範囲に限られない。感光ドラム１１Ｋの一次転写残トナーを掻き取らずに通過させる一方で、感光ドラムクリーニングブレード１７Ｋや第一スクイシート１８Ｋに掻き取られたトナーを掬える範囲であればよい。
【００６２】
第一及び第二の各スクイシートの当接圧を上述の当接圧にそれぞれ設定し、イエロー、マゼンタ、シアン、ブラックの各色とも画像比率が２８％のフルカラー画像を、１日当たり５０，０００枚の連続モードで、５００，０００枚までテストプリントした。このテストプリントの結果、画像上にトナー汚れが発生することなく５００，０００枚の良好な画像を得ることが確かめられた。
【００６３】
以上のように、第一スクイシート１８Ｋは、感光ドラムクリーニングブレード１７Ｋに所定量以上のトナーが供給されないように、トナーを掻き取ってトナー量を制限する。すなわち、感光ドラムクリーニングブレード１７Ｋに潤滑剤としてのトナー帯を供給する場合に、使用条件によってトナー載り量が変動してしまう場合があっても、トナーが過剰に供給されない構成となっている。また、使用条件によってトナー帯が最も少ない方向に変動した場合でも、潤滑材として必要なトナー量を確保できるようにトナー載り量が設定される。なお、トナー帯の載り量が最も少なくなる場合であっても、第一スクイシート１８Ｋの当接圧をトナーを除去できる当接圧に設定してもよい。また、第一スクイシート１８Ｋよりも感光ドラム１１Ｋの回転方向上流には、第二スクイシート１９が設けられる。第二スクイシート１９は、感光ドラム１１Ｋに残留する一次転写残トナーを通過させ且つ少なくとも第一スクイシート１８Ｋにより除去されたトナーを掬うことのできる当接圧で、感光ドラム１１Ｋに対し当接する。この第二スクイシート１９の当接圧は、第一スクイシート１８Ｋの当接圧よりも低い。第二スクイシート１９は、感光ドラム１１Ｋから除去されたトナーを掬い取る。特には、第一スクイシート１８Ｋにより除去されたトナーを掬い取るために設けられる。こうすることで、感光ドラム１１Ｋに残留する一次転写残トナーの量が多い場合でも、画像上にトナー汚れが生じ難くなる。
【００６４】
［第二実施形態］
次に、本発明の第二実施形態に係る画像形成装置について、図３を用いて説明する。図３は、本発明の第二実施形態に係る画像形成装置の構成を示す概略構成図である。図３に示す画像形成装置１は、感光ドラムクリーニングブラシ３６を備える点が図１に示した画像形成装置１と異なる。そこで、図１に示した画像形成装置１と説明の重複する部分については同一の符号を付し、説明を省略する。
【００６５】
ブラシ部材としての感光ドラムクリーニングブラシ３６は、感光ドラムクリーニングブレード１７Ｋと第一スクイシート１８Ｋとの間に、感光ドラム１１Ｋに対し回転可能に設けられている。感光ドラムクリーニングブラシ３６は、不図示のモータ等によって駆動される、あるいは回収したトナーを搬送する搬送スクリュー（不図示）にギア等で連結され、ギア比に応じた周速比（例えば、感光ドラム１１Ｋに対し１１０％）で駆動される。感光ドラムクリーニングブラシ３６には、上述した中間転写ベルトクリーニング装置１０の第一クリーニングブラシ２７や第二クリーニングブラシ３０と同じものを用いればよい。また、感光ドラム１１Ｋに対する感光ドラムクリーニングブラシ３６の侵入量は例えば１．０ｍｍ、感光ドラム１１Ｋとの周速比は例えば１１０％に設定するとよい。勿論、感光ドラムクリーニングブラシ３６の侵入量や周速比は適宜変更してよい。
【００６６】
感光ドラムクリーニングブラシ３６は、常に感光ドラムクリーニングブレード１７Ｋにトナーを供給するために、感光ドラム１１Ｋに対しトナーを機械的に掻き取る所定の当接圧で当接される。感光ドラムクリーニングブラシ３６により掻き取られたトナーは、感光ドラム１１Ｋと感光ドラムクリーニングブラシ３６と第１のスクイシート１８Ｋとに囲まれたバッファ部３７に一時的に保持される。バッファ部３７に一時的に保持されたトナーは、画像形成を重ねることである程度溜まると、感光ドラムクリーニングブラシ３６の回転に伴い感光ドラム１１Ｋに戻される。
【００６７】
ただし、バッファ部３７に一時的に保持されているトナーの量が多くなりすぎると、第一スクイシート１８Ｋや第二スクイシート１９で掬い取り切れないほどの多量のトナーが中間転写ベルト１６上にこぼれ落ちる。そこで、第一スクイシート１８Ｋから第二スクイシート１９へとトナーがこぼれ落ちるのを抑制するために、第１スクイシート１８Ｋは適切な当接圧で感光ドラム１１Ｋに当接させる必要がある。
【００６８】
［比較例２］
ここで、図３に示した画像形成装置１において、第一及び第二の各スクイシートの当接圧を変えた場合の、各スクイシートの汚れと画像上のトナー汚れとの関係を調べた実験結果を表２に示す。表２に示すように、第一及び第二の各スクイシートの材質、曲がり弾性率、厚み、自由長、設定角、侵入量、並びにそれらの組み合わせで決まる当接圧は、上述した比較例１と同様である。また、スクイシート汚れと画像上のトナー汚れに関しても、表１と同様に「○」、「△」、「×」の順で汚れが顕著になることを示している。
【００６９】
【表２】
2015222397.tif 000004
【００７０】
表２に示すように、第一スクイシート１８Ｋの当接圧が０．５〜１．０Ｎ／ｍ且つ第二スクイシート１９の当接圧が０．１〜０．５Ｎ／ｍである場合（表２の５）、第二スクイシート１９のスクイシート汚れ及び画像汚れは共に「○」である。また、第一スクイシート１８Ｋの当接圧が０．１〜０．５Ｎ／ｍ且つ第二スクイシート１９の当接圧が０．１〜０．５Ｎ／ｍである場合（表２の８）も、第二スクイシート１９のスクイシート汚れ及び画像汚れは共に「○」である。これらの場合、第二スクイシート１９は感光ドラム１１Ｋから一次転写残トナーを掻き取っていないが、第一スクイシート１８Ｋにより掻き取られたトナーは掬い取り切れている。
【００７１】
上述のように、意図的に感光ドラムクリーニングブレード１７Ｋに多量のトナーを供給する場合に備え、第一スクイシート１８Ｋの当接圧はトナーを掻き取れる水準に設定される必要がある。しかし、感光ドラムクリーニングブラシ３６を備えている場合には、実施形態１の場合に比べて第一スクイシート１８Ｋの当接圧を少し緩和してよい。すなわち、第一スクイシート１８Ｋが掻き取れるトナー量を減少させたとしても、感光ドラムクリーニングブラシ３６によってある程度のトナーが掻き取られるので、感光ドラムクリーニングブレード１７Ｋに極端に多くのトナーが供給されることがない。そこで、第一スクイシート１８Ｋに関しては、その当接圧を０．１〜１．０Ｎ／ｍの範囲に設定してよい。
【００７２】
他方、第２のスクイシート１９に関しては、表２に示した結果からすると、表１に示した結果と同様に、当接圧が低いと画像汚れが良好になる傾向がある。そして、第一スクイシート１８Ｋで掬い取り切れないトナーの量は実施形態１の場合とほぼ同じであるため、実施形態１の場合と同じ範囲で当接圧を設定することができる。すなわち、第二スクイシート１９の当接圧は０．１〜０．５Ｎ／ｍの範囲に設定する。
【００７３】
なお、画像形成部ＵＹ、ＵＭ、ＵＣに関しては、中間転写ベルト１６からの再転写トナーの量が比較的少なく、また感光ドラムクリーニングブラシ３６が設置されていないことから、第一スクイシート１８Ｙ、１８Ｍ、１８Ｃからこぼれるトナーが少ない。そのため、画像形成部ＵＫのように第二スクイシート１９を設ける必要はなく、第一スクイシート１８Ｙ、１８Ｍ、１８Ｃの材質や設定を最適化して設けておけば十分である。
【００７４】
第一及び第二の各スクイシートの当接圧を上述の当接圧にそれぞれ設定し、イエロー、マゼンタ、シアン、ブラックの各色とも画像比率が２８％のフルカラー画像を、１日当たり５０，０００枚の連続モードで、５００，０００枚までテストプリントした。このテストプリントの結果、画像上にトナー汚れが発生することなく５００，０００枚の良好な画像を得ることが確かめられた。
【００７５】
なお、上述した実施例では、各色の感光ドラム１１から中間転写ベルト１６に各色のトナー像を一次転写した後に、記録材Ｐに各色の複合トナー像を一括して二次転写する構成の画像形成装置１を説明したが、これに限らない。例えば、転写材搬送ベルトに担持され搬送される別の像担持体としての記録材Ｐに、感光ドラム１１から直接転写する直接転写方式の画像形成装置であってもよい。その場合、複数の感光ドラム１１は、記録材Ｐを支持して搬送する搬送手段としての搬送ベルトの記録材搬送方向に沿って配置される。
【００７６】
なお、感光ドラム１１は円筒状の感光体に限らず、ベルト状の感光体であってもよい。さらには、帯電方式、転写方式、クリーニング方式、定着方式に関しても、上記した方式に限られるものでない。
【符号の説明】
【００７７】
１…画像形成装置、１１Ｋ（１１Ｙ，１１Ｍ，１１Ｃ）…感光ドラム
１５Ｋ（１５Ｙ，１５Ｍ，１５Ｃ）…一次転写ローラ、１６…中間転写ベルト
１７Ｋ（１７Ｙ，１７Ｍ，１７Ｃ）…感光ドラムクリーニングブレード
１８Ｋ（１８Ｙ，１８Ｍ，１８Ｃ）…第一スクイシート、１９…第二スクイシート
３６…感光ドラムクリーニングブラシ、３７…バッファ部、５０…制御部、Ｐ…記録材
【図１】
2015222397.tif 000005
【図２】
2015222397.tif 000006
【図３】
2015222397.tif 000007